(57)【要約】【課題】様々な直径のブランケット胴を洗浄することができるブランケット胴洗浄装置を提供する。【解決手段】可変カットオフ印刷機におけるブランケット胴１４上の様々な円周のブランケットを洗浄するためのブランケット洗浄装置において、洗浄ヘッド３２と、該洗浄ヘッドの軸方向端部に連結された可動なブラケット３４とが設けられており、可動なブラケット３４が、ブランケット胴１４上のブランケットの円周に基づいて洗浄ヘッド３２の位置を変化させるために摺動可能な部分を有しており、可動なブラケット３４の摺動可能な部分が摺動するときに、洗浄ヘッド３２とブランケット胴１４上のブランケットとの間の所定の間隙を維持するように可動なブラケット３４を案内するための案内板５０が設けられている。【選択図】図１
2012081755.tif 000002
【特許請求の範囲】
【請求項１】
可変カットオフ印刷機におけるブランケット胴上の様々な円周のブランケットを洗浄するためのブランケット洗浄装置において、
洗浄ヘッドと、
該洗浄ヘッドの軸方向端部に連結された可動なブラケットとが設けられており、該可動なブラケットが、ブランケット胴上のブランケットの円周に基づいて洗浄ヘッドの位置を変化させるために摺動可能な部分を有しており、
前記可動なブラケットの摺動可能な部分が摺動するときに、洗浄ヘッドとブランケット胴上のブランケットとの間の所定の間隙を維持するように前記可動なブラケットを案内するための案内板が設けられていることを特徴とする、可変カットオフ印刷機におけるブランケット胴上の様々な円周のブランケットを洗浄するためのブランケット洗浄装置。
【請求項２】
前記案内板は、前記可動なブラケットの摺動可能な部分が摺動するときに洗浄ヘッドとブランケット胴上のブランケットとの間の向き付け角度を維持するように前記可動なブラケットを案内する、請求項１記載の装置。
【請求項３】
前記可動なブラケットは、ブランケット胴支持体に連結された第１の部分と、可動なブラケットに連結された第２の部分とを有しており、前記第１の部分は、前記第２の部分に対してブランケット胴に向かって及びブランケット胴から離れるように可動である、請求項１記載の装置。
【請求項４】
前記第１の部分はカムフォロアを有しており、前記案内板は軌道を有しており、該軌道は、洗浄ヘッドとブランケット胴上のブランケットとの間の所定の間隙を維持するようにカムフォロアを案内する、請求項３記載の装置。
【請求項５】
前記第１の部分はリニアガイドであり、前記第２の部分は、前記リニアガイドを摺動させるためのレールである、請求項３記載の装置。
【請求項６】
前記可動なブラケットは、ブランケット胴を支持するブランケット胴支持体に連結されており、前記案内板は、ブランケット胴支持体を回動可能に支持するフレームに連結されている、請求項１記載の装置。
【請求項７】
前記ブランケット胴支持体の移動が、可動なブラケットの摺動可能な部分を案内板に沿って摺動させ、前記案内板は、前記所定の間隙を維持するように成形されている、請求項６記載の装置。
【請求項８】
可変カットオフ印刷機において、
ブランケット胴と、
該ブランケット胴を支持するブランケット胴支持体と、
前記ブランケット胴支持体に連結されたブランケット洗浄装置とが設けられており、該ブランケット洗浄装置は、ブランケット胴を洗浄するための洗浄ヘッドと、ブランケット胴の複数の異なる直径に対して、洗浄ヘッドとブランケット胴との間の所定の間隙を維持するように洗浄ヘッドを移動させるための調節及び支持装置とを有していることを特徴とする可変カットオフ印刷機。
【請求項９】
前記調節及び支持装置は、ブランケット胴の複数の異なる直径に対して、洗浄ヘッドとブランケット胴との間の向き付け角度を維持するように洗浄ヘッドを移動させる、請求項８記載の可変カットオフ印刷機。
【請求項１０】
前記ブランケット胴の直径が、ブランケット胴のスリーブ及びブランケット胴のブランケットを交換することによって変化させられる、請求項８記載の可変カットオフ印刷機。
【請求項１１】
前記ブランケット胴支持体を回動可能に支持するフレームが設けられている、請求項８記載の可変カットオフ印刷機。
【請求項１２】
前記調節及び支持装置は、洗浄ヘッドの端部に連結された可動なブラケットと、ブランケット胴の複数の異なる直径に対して洗浄ヘッドとブランケット胴との間の所定の間隙を維持するように可動なブラケットを案内するための案内板とを有している、請求項１１記載の可変カットオフ印刷機。
【請求項１３】
前記案内板はフレームに固定されており、前記可動なブラケットはブランケット胴支持体に固定されている、請求項１２記載の可変カットオフ印刷機。
【請求項１４】
ブランケット胴支持体の移動は、可動なブラケットを案内板に沿って移動させる、請求項８記載の可変カットオフ印刷機。
【請求項１５】
印刷機の印刷ユニットにおけるカットオフ変更の間にブランケット洗浄装置の位置を調節する方法において、
印刷ユニットにおけるブランケット胴から第１のブランケットを取り外し、第１のブランケットは、取り外される前には所定の間隙によってブランケット洗浄装置の洗浄ヘッドから分離されており、
ブランケット胴支持体の位置を調節し、
第１のブランケットとは異なる円周を有する第２のブランケットをブランケット胴に配置し、ブランケット胴支持体の位置の調節が第２のブランケットと洗浄ヘッドとの間に所定の間隙を確立することを特徴とする、印刷機の印刷ユニットにおけるカットオフ変更の間にブランケット洗浄装置の位置を調節する方法。
【請求項１６】
前記ブランケット洗浄装置は、前記洗浄ヘッドの端部に連結された可動なブラケットと、該可動なブラケットを案内するための案内板とを有しており、ブランケット胴支持体の位置の調節が、可動なブラケットを案内板に沿って移動させ、第２のブランケットと洗浄ヘッドとの間に所定の間隙を確立する、請求項１５記載の方法。
【発明の詳細な説明】
【技術分野】
【０００１】
本発明は、概して印刷機、特に印刷機におけるブランケットのための洗浄機構に関する。
【背景技術】
【０００２】
ブランケット洗浄装置は、オフセット平版ブランケットの表面に次第に蓄積するインキ、紙くず及びその他のごみを除去するために平版印刷機において使用される。ブランケット洗浄装置は、ブランケット洗浄装置の洗浄エレメントと平版ブランケットの表面との間に所定の間隙が形成されるように固定支持されている。この間隙は、印刷機が印刷している間は洗浄エレメントとブランケット表面との間の接触を阻止するが、洗浄エレメントによってブランケット表面を洗浄するためには様々な機械的な機構（例えば膨張可能な空気袋、空圧式シリンダの作動）によって間隙はゼロに減じられる。
【０００３】
ブランケット洗浄装置は、一般的に、固定されたブラケットアセンブリを介して印刷機フレームに取り付けられている。初期設定の際に所定の間隙を達成するために、固定されたブラケットは、小さな量の調節可能性を提供してよいが、１つの直径のブランケットのみを洗浄するための位置にのみ洗浄エレメントを支持するように設計されている。カットオフ変更の間、ブランケット胴が、より小さな又はより大きな直径を有する新たなブランケット胴と交換される場合、ブランケット洗浄装置は、新たなブランケット胴を洗浄することができるために手作業で調節される。
【発明の概要】
【発明が解決しようとする課題】
【０００４】
本発明の課題は、様々な直径のブランケット胴を洗浄することができるブランケット胴洗浄装置を提供することである。
【課題を解決するための手段】
【０００５】
可変カットオフ印刷機におけるブランケット胴上の様々な円周のブランケットを洗浄するためのブランケット洗浄装置が提供される。このブランケット洗浄装置は、洗浄ヘッドと、該洗浄ヘッドの軸方向端部に連結された可動なブラケットとを有しており、可動なブラケットが、ブランケット胴上のブランケットの円周に基づいて洗浄ヘッドの位置を変化させるために摺動可能な部分を有している。ブランケット洗浄装置は、前記可動なブラケットの摺動可能な部分が摺動するときに、洗浄ヘッドとブランケット胴上のブランケットとの間の所定の間隙を維持するように前記可動なブラケットを案内するための案内板も有している。
【０００６】
可変カットオフ印刷機も提供され、この可変カットオフ印刷機は、ブランケット胴と、該ブランケット胴を支持するブランケット胴支持体と、前記ブランケット胴支持体に連結されたブランケット洗浄装置とを有している。ブランケット洗浄装置は、ブランケット胴を洗浄するための洗浄ヘッドと、ブランケット胴の複数の異なる直径に対して、洗浄ヘッドとブランケット胴との間の所定の間隙を維持するように洗浄ヘッドを移動させるための調節及び支持装置とを有している。
【０００７】
印刷機の印刷ユニットにおけるカットオフ変更の間にブランケット洗浄装置の位置を調節する方法も提供される。この方法は、印刷ユニットにおけるブランケット胴から第１のブランケットを取り外し、第１のブランケットは、取り外される前には所定の間隙によってブランケット洗浄装置の洗浄ヘッドから分離されており、ブランケット胴支持体の位置を調節し、第１のブランケットとは異なる円周を有する第２のブランケットをブランケット胴に配置し、ブランケット胴支持体の位置の調節が第２のブランケットと洗浄ヘッドとの間に所定の間隙を確立することを含む。
【０００８】
以下に本発明を以下の図面を参照しながら説明する。
【図面の簡単な説明】
【０００９】
【図１】本発明の実施の形態による印刷ユニットを概略的に示す図である。
【図２】本発明の実施の形態による、図１に示したブランケット洗浄装置の斜視図を概略的に示している。
【図３】図２に示したブランケットよりも大きな円周のブランケットを収容するように調節された後の、本発明の実施の形態による、図２に示したブランケット洗浄装置の調節及び支持装置を概略的に示している。
【図４】図２に示したブランケットよりも小さな円周のブランケットを収容するように調節された後の、図３に示した調節及び支持装置を概略的に示している。
【図５】理解しやすくするために調節及び支持装置を省略した、図２に示したブランケット洗浄装置の側面図である。
【発明を実施するための形態】
【００１０】
本発明の以下の実施の形態は、１つのブランケット洗浄装置が、可変直径の胴を洗浄するために使用されることを許容する。
【００１１】
図１は、本発明の実施の形態による印刷ユニット１０を概略的に示している。印刷ユニット１０は、軸方向端部においてそれぞれの支持体２２，２４，２６によってフレーム１８に支持された版胴１２、ブランケット胴１４及び圧胴１６を有している。択一的に、版胴１２は、回転可能にフレーム１８に直接に取り付けられてよく、版胴支持体２２が省略されてもよい。ブランケット胴支持体２４及び圧胴支持体２６は、それぞれの枢軸１９，２１においてフレーム１８に回動可能に連結されており、ブランケット胴１４及び版胴１２の直径に従って印刷するためにブランケット胴１４及び圧胴１６の位置を設定するためにそれぞれのアクチュエータによって調節可能である。１つの好適な実施の形態において、印刷ユニット１０は、引用したことにより本明細書に記載されたものとする、共同で所有された米国特許出願第１２／８３６７１３号明細書に記載された支持装置を有していてよく、米国特許出願第１２／８３６７１３号明細書に記載された形式でアクチュエータを使用してブランケット胴１４及び圧胴１６の位置を調節する。この実施の形態において、米国特許出願第１２／８３６７１３号明細書に記載されているように、印刷中の版胴１２の中心軸線は版胴１２及びブランケット胴１４の外径の寸法にかかわらず同じであるのに対して、ブランケット胴１４及び圧胴１６の中心軸線の位置は版胴１２及びブランケット胴１４の外径に応じて移動させられるように、版胴１２がフレーム１８に連結されている。
【００１２】
図１に概略的に示されたブランケット洗浄装置３０も、ブランケット胴支持体２４及びフレーム１８に連結されている。ブランケット洗浄装置３０は、ブランケット胴１４の長さに沿って延びた洗浄ヘッド３２と、この洗浄ヘッド３２の軸方向端部における可動なブラケット３４とを有している。可動なブラケット３４は、それぞれの固定具５６によってブランケット胴支持体２４に堅く固定されている。ブランケット洗浄装置３０は、両端部に案内板５０も有しており、これらの案内板５０は、それぞれの取付具５８によってフレーム１８に堅く固定されている。可動なブラケット３４は、ブランケット胴支持体２４の移動時にブランケット胴１４に対して洗浄ヘッド３２を適切に位置決めするために案内板５０と協働する。
【００１３】
好適な実施の形態において、ブランケット胴１４の直径を変更するために、取外し可能なスリーブが使用されてよい。ブランケット胴支持体２４によって支持されたブランケット胴は、それぞれ、軸方向両端部においてそれぞれの支持体２４によって保持されたベースシリンダ若しくはマンドレルと、マンドレルの外面上に滑り被されるスリーブと、スリーブの周囲に巻き付けられる又はスリーブ上を滑り被されるプレート又はブランケット（すなわちスリーブは、引用したことにより本明細書に記載された米国特許第５８１３３３６号明細書に記載されたスリーブと同様である）とを有していてよい。例えば、カットオフ変更の間、１つのブランケット胴支持体２４は、ブランケット胴１４から解離され、フレーム１８に設けられた孔を通じてブランケット胴１４から旋回離反させられる。ブランケット胴マンドレル（例えば図３及び図４に示されたブランケット胴マンドレル９４）に取り付けられたブランケット胴スリーブ（例えば図３に示したスリーブ８５又は図４に示したスリーブ８６）は、次いで、ブランケット胴マンドレルから滑り外される。ブランケット胴スリーブに取り付けられたブランケットは、ブランケット胴スリーブがブランケット胴マンドレルから滑り外される前又は後に取り外されてよい。より大きな又はより小さな外径を有する別のブランケット胴スリーブが、次いで、ブランケット胴マンドレルに取り付けられてよい。新たなブランケットは、別のブランケット胴スリーブがブランケット胴マンドレルに滑り被される前又は後にこの別のブランケット胴スリーブに取り付けられてよい。カットオフ変更の間の版胴の取外し及び交換は同様の形式で行われてよいが、ブランケットの代わりに刷版がスリーブに取り付けられる。また、ブランケット胴マンドレル及び版胴マンドレルは、表面に形成された孔を有していてよく、これにより、それぞれのマンドレルに又はそれぞれのマンドレルからスリーブを空圧を利用して取り付けたり取り外したりするために、圧縮空気がマンドレルの内部に供給されて、孔から流出してよい。ブランケット胴マンドレル及び版胴マンドレルは、それぞれのマンドレルへのスリーブの滑り被せを容易にするために、作業側に面取りされた端部を有していてもよい。マンドレルにおける孔、及び面取りされた端部、及びスリーブの弾性は、マンドレルの外周よりも僅かに小さな内周を有するスリーブが、マンドレルに取り付けられることを許容する。スリーブがそれぞれのマンドレルに滑り被せられた後、マンドレルへの空気の供給は停止され、スリーブは、マンドレル上の所定の位置に密着して保持される。
【００１４】
図２は、本発明の実施の形態によるブランケット洗浄装置３０の斜視図を示している。ブランケット洗浄装置３０は、ブランケット胴支持体２４によって回動可能に支持されたブランケット胴１４のブランケット７４の外面を洗浄するために位置決めされている。ブランケット胴支持体２４は、回動端部において枢軸１９（図１及び図５）においてフレーム１８に回動可能に連結されており、ブランケット支持端部においてブランケット胴１４を支持している。ブランケット洗浄装置３０は、ブランケット洗浄装置がブランケット支持体２４の２つの端部の間を摺動可能であるようにブランケット支持体２４に摺動可能に連結されている。従って、ブランケット洗浄装置３０は、調節及び支持装置７０を有しており、この調節及び支持装置７０は、ブランケット洗浄装置３０の洗浄ヘッド３２が、カットオフ変更の間、洗浄ヘッド３２とブランケット胴１４の外面（すなわちブランケット７４の外面）との間の所定の間隙Ｇ（図５）及び向き付け角度を自己調節及び維持することを許容する。
【００１５】
調節及び支持装置７０は、洗浄ヘッド３２の軸方向端部において２つの可動なブラケット３４を有しており、これらのブラケットは、ブランケット胴１４の中心に向かって及びブランケット胴１４の中心から離れる方向での移動を許容する。この実施の形態において、可動なブラケット３４は、レール４２、リニアガイド４４及びベースプレート４６を有している。レール４２は、ベースプレート４６に取り付けられたリニアガイド４４によって拘束されており、このリニアガイド４４に沿って摺動する。洗浄ヘッド３２の両端部に設けられた、この実施の形態においてはピンである位置決め部材３８（図５）は、洗浄ヘッド３２をレール４２に固定するために使用されている。それぞれの可動なブラケット３４は、それぞれのレール４２に設けられた又はそれぞれのレール４２に連結されたカムフォロワ３６を有している。所定の経路に沿ってカムフォロア３６を案内するために、調節及び支持装置７０は案内板５０を有している。案内板５０は、取付具５８によってフレーム１８に堅く結合されており、案内板に形成されたカム軌道５２を有している。カムフォロア３６はカム軌道５２内へ延びており、ブランケット胴支持体２４が枢軸１９を中心にして上方回動及び下方回動させられると、カムフォロア３６はカム軌道５２に沿って摺動する。カム軌道５２は、水平に対するブランケット胴支持体２４の全ての角度θ（図５）にわたってカムフォロア３６とカム軌道５２との間の特定の接触箇所、ひいては特定された範囲内で無限に可変の数のブランケット胴直径のための特定の接触箇所が存在するように設計されている。与えられたブランケット胴直径のために、カムフォロア３６は、摺動するレール４２を、洗浄ヘッド３２とブランケット胴１４の外面との間の所定の間隙Ｇ（図５）及び向き付け角度を確立する位置へ移動させたところで、カム軌道５２に接触する。
【００１６】
角度θ（図５）は、ブランケット胴支持体２４を枢軸１９を中心にして回転させることによって、ブランケット胴１４の直径に従って変化させられる。ベースプレート４６と、リニアガイド４４と、ブランケット胴支持体２４との間の堅い結合は、洗浄ヘッド３２とブランケット胴１４との間の向き付け角度が一定のままであり、所定の間隙Ｇがブランケット胴１４の直径及び角度θにかかわらず一定のままであることを保証する。
【００１７】
レール４２と洗浄ヘッド３２との結合により、ブランケット洗浄ヘッド３２とブランケット胴１４の外面との間の所定の間隙Ｇ（図５）と向き付け角度とを、ブランケット胴１４の直径にかかわらず維持するために、洗浄ヘッド３２はブランケット胴１４に対して半径方向に摺動させられてよい。間隙Ｇと、ブランケット洗浄装置３０の上記構成とにより、洗浄ヘッド３２は、様々な直径のブランケット胴を適切に洗浄する。
【００１８】
図３は、図２に示されたブランケット７４よりも大きな円周のブランケット７５を収容するように調節された後の調節及び支持装置７０を示している。洗浄ヘッド３２（図１、図２及び図５）は、分かりやすくするために省略されている。図２に対してブランケット胴１４の寸法を増大することは、ブランケット７４と、ブランケット７４を支持するスリーブとを、ブランケット胴１４の本体又はマンドレル９４から移動させ、ブランケット７４を支持していたスリーブよりも大きな直径を有するスリーブ８５と、ブランケット７４よりも大きな円周を有するブランケット７５とをマンドレル９４に配置することによって、達成されてよい。スリーブ８５とブランケット７５とがマンドレル９４に配置される前に、より大きなブランケット７５を収容しかつブランケット胴１４を版胴１２（図１）に対して適切に位置決めするために、ブランケット胴支持体２４は、図２に示された位置から下方へ回動させられている。ブランケット胴支持体２４がそれぞれのアクチュエータによって下方へ回動させられるとき、カムフォロア３６は、案内板５０に形成された軌道５２に沿って下方へ摺動し、レール４２を、リニアガイド４４に沿ってブランケット胴支持体２４の支持端部から離れるようにブランケット胴支持体２４の回動端部に向かって摺動させる。
【００１９】
この実施の形態において、摺動レール４２は２つの部材４２ａ，４２ｂを有している。第１の部材４２ａは、フライス削りされたスロット５３を有しており、このスロット５３に位置決め部材３８が挿入されている。第２の部材４２ｂは、カムフォロア３６を有している。部材４２ａ，４２ｂは、通常運転中は互いに固定されているが、所定の間隙Ｇの精密調整が必要とされる場合には、カムフォロア３６とブランケット洗浄装置３２との相対位置を調節するために互いに対して手動で位置調節することができる。空圧式シリンダ６０は、調節及び支持装置７０の構成部材の間の間隙によるブランケット洗浄装置３０の望ましくない振動を回避するために、カムフォロア３６をカム軌道５２に対して負荷するために、レール４２及びベースプレート４６に連結されていてよい。
【００２０】
図４は、図２に示されたブランケット７４よりも小さな円周のブランケット７６を収容するように調節された後の調節及び支持装置７０を示している。洗浄ヘッド３２（図１、図２及び図５）は、分かりやすくするために省略されている。図２に対してブランケット胴１４の寸法を減じることは、ブランケット７４と、ブランケット７４を支持したスリーブとをブランケット胴１４のマンドレル９４から取り外し、ブランケット７４を支持していたスリーブよりも小さな直径を有するスリーブ８６と、ブランケット７４よりも小さな円周を有するブランケット７６とを、マンドレル９４に配置することによって、達成されてよい。スリーブ８６と、ブランケット７６とがマンドレル９４に配置された後、より小さなブランケット７６を収容しかつブランケット胴１４を版胴１２（図１）に対して適切に位置決めするために、ブランケット胴支持体２４は、図２に示された位置から上方へ回動させられている。ブランケット胴支持体２４がそれぞれのアクチュエータによって上方へ回動させられるとき、カムフォロア３６は、案内板５０に形成された軌道５２に沿って上方へ摺動し、レール４２を、リニアガイド４４に沿ってブランケット胴支持体２４の回動端部から離れるようにブランケット胴支持体２４の支持端部に向かって摺動させる。
【００２１】
図５は、ブランケット洗浄装置３０の側面図を示しており、分かりやすくするために調節及び支持装置７０は省略されている。水平に対するブランケット胴支持体２４の角度θは、正の値で示されているが、負の値であることもできる。
【００２２】
洗浄ヘッド３２は、好適な実施の形態においてはブランケット胴１４に接触してブランケット胴１４を洗浄するためのクロスを含むクリーニングエレメント６２と、洗浄ヘッド３２をレール４２（図２から図４）に固定するための位置決め部材３８とを有している。洗浄ヘッド３２内の膨張可能な袋は、ブラケット３４（図１から図４）及びブランケット胴支持体２４が定置のまま、間隙Ｇを閉鎖するように、クリーニングエレメント６２をブランケット胴に向かってクリーニングのために移動させてよい。アクチュエータ６４は、ブランケット胴１４の表面を洗浄するためにクリーニングエレメント６２内部にクロスを前進させてよい。
【００２３】
前記明細書において、発明は、発明の特定の典型的な実施の形態及び実施例に関連して説明されている。しかしながら、以下の請求項に示された発明のより広い思想及び範囲から逸脱することなく実施の形態及び実施例に対して様々な変更がなされてもよいことは明らかである。従って、明細書及び図面は、制限的な意味ではなく、例示としてみなされるべきである。
【符号の説明】
【００２４】
１０  印刷ユニット、  １２  版胴、  １４  ブランケット胴、  １６  圧胴、  １８  フレーム、  １９，２０  枢軸、  ２２，２４，２６  支持体、  ３０  ブランケット洗浄装置、  ３２  洗浄ヘッド、  ３４  可動なブラケット、  ３６  カムフォロア、  ４２  レール、  ４４  リニアガイド、  ４６  ベースプレート、  ５０  案内板、  ５２  カム軌道、  ５８  取付具、  ６２  クリーニングエレメント、  ６４  アクチュエータ、  ７０  調節及び支持装置、  ７４，７５  ブランケット、  ８５，８６  スリーブ、  ８４，９４  マンドレル
【図１】
2012081755.tif 000003
【図２】
2012081755.tif 000004
【図３】
2012081755.tif 000005
【図４】
2012081755.tif 000006
【図５】
2012081755.tif 000007
【外国語明細書】
2012081755.tif 000008
2012081755.tif 000009
2012081755.tif 000010
2012081755.tif 000011
2012081755.tif 000012
2012081755.tif 000013
2012081755.tif 000014
2012081755.tif 000015
2012081755.tif 000016
2012081755.tif 000017
2012081755.tif 000018
2012081755.tif 000019
2012081755.tif 000020
2012081755.tif 000021
2012081755.tif 000022
2012081755.tif 000023
2012081755.tif 000024